(57)【特許請求の範囲】
【請求項１】
郵便物仕分け設備の入口に郵便物を自動的に装入するための装置であって、当該装置が、個別化装置と、郵便物搬送路と、移動・旋回装置によって郵便物搬送路に対して進入・進出旋回可能であって、かつ郵便物を個別化装置に搬送するために搬送方向に、個別化装置における積み重ね圧力により制御される速度（Ｖ１）で移動可能でかつ再び戻り可能な分離ナイフと、郵便物収容部とを有している形式のものにおいて、分離ナイフ（４）に対して付加的に、やはり搬送方向に移動可能で、郵便物搬送路に対して進入・進出旋回可能でかつ再び戻り可能な分離ナイフ装置（５）が設けられており、該分離ナイフ装置（５）が、２つの分離ナイフを備えており、両分離ナイフの間隔が、郵便物積み体（７）の引取り時に、引き渡される郵便物積み体（７）のための郵便容器（６）の少なくとも内側長さに相当しており、移動・旋回装置（３，８）がその移動・旋回過程時に邪魔にならないように郵便物搬送路の側方に配置されており、２つの分離ナイフを備えた分離ナイフ装置（５）が、単一の分離ナイフ（４）に比べて少なくとも、最大の郵便容器（６）の長さ分だけ大きく移動可能であり、郵便物搬送路の側方で、しかも分離ナイフ装置（５）と郵便物収容部（１０）との終端位置と同じ高さで、単一の分離ナイフ（４）に対応する移動・旋回装置（３）の側に、装入モジュール（９，１２）が設けられており、該装入モジュールが、運ばれてきた、郵便物で充填された郵便容器（６）から郵便物を自動的に郵便物収容部（１０）に搬送するようになっており、さらに制御ユニット（１１）とセンサとが設けられていて、該制御ユニットとセンサとにより以下のシーケンス：
−分離ナイフ装置（５）の両分離ナイフが進入旋回させられた状態で分離ナイフ装置（５）の両分離ナイフの間の郵便物収容部（１０）内に郵便物積み体（７）を収容し、
−分離ナイフ装置（５）内に位置する郵便物積み体（７）を、速度（Ｖ１）で個別化装置（１）の方向に運動する単一の分離ナイフ（４）のすぐ手前にまで移動させ、
−単一の分離ナイフ（４）を進出旋回させて、分離ナイフ装置（５）の背後にまで戻し運動させ、かつ分離ナイフ装置（５）を、個別化装置（１）における積み重ね圧力により制御される速度（Ｖ１）で引き続き前進させ、
−単一の分離ナイフ（４）を進入旋回させて、分離ナイフ装置（５）のすぐ背後に接近させ、
−分離ナイフ装置（５）の両分離ナイフを進出旋回させ、単一の分離ナイフ（４）を、個別化装置（１）における積み重ね圧力により制御される速度（Ｖ１）で引き続き前進させ、
−分離ナイフ装置（５）を出発位置にまで戻す
が保証されていることを特徴とする、郵便物仕分け設備の入口に郵便物を自動的に装入するための装置。
【請求項２】
装入モジュールが、郵便容器（６）を受け取るための、旋回装置（１２）に固定された受取り機構（９）を有しており、該受取り機構（９）が、郵便物で充填された郵便容器（６）を旋回運動により、分離ナイフ装置（５）の両分離ナイフの間の郵便物収容部（１０）に放下するようになっている、請求項１記載の装置。
【請求項３】
郵便物収容部（１０）が、郵便物の縁部の向きを整えるための振動機を有している、請求項１記載の装置。
【請求項４】
分離ナイフ装置（５）の２つの分離ナイフの間隔が可変であって、郵便物積み体（７）の引取り後に、両分離ナイフに所定の設定された圧力が加えられるまで両分離ナイフが閉じるようになっている、請求項１記載の装置。
【請求項５】
郵便容器（６）が、供給区間として形成されたコンベヤベルトに沿って装入モジュール（９，１２）に、郵便物で充填された状態で供給され、かつ装入モジュール（９，１２）から空の状態で導出されるようになっており、しかも供給サイクルが装入モジュール（９，１２）の作業サイクルと連動されている、請求項１または２記載の装置。
【請求項６】
郵便物収容部（１０）と個別化装置（１）との間の郵便物搬送路が、コンベヤベルト（２）から成っており、進入旋回させられた単一の分離ナイフ（４）および分離ナイフ装置（５）の進入旋回させられた両分離ナイフが郵便物積み体（７）を個別化装置（１）にまで案内する際に、前記コンベヤベルト（２）が、これらの分離ナイフと同期的に運動するようになっている、請求項１記載の装置。
【発明の詳細な説明】
本発明は、請求項１の上位概念部に記載の形式の、郵便物仕分け設備の入口に郵便物を自動的に装入するための装置に関する。
これまで、郵便物仕分け設備の入口への郵便物の装入は、手によって行われるため手間がかかっていた。このとき、郵送される郵便物は郵便容器を傾動させることにより郵便容器から入口部分に放下されるか、または手により積み体ごとに入口部分に載置される。その後に、郵便物はやはり手により郵便物の前縁部または下縁部を下にして整えられ、引出し装置もしくは残留郵便物積み体に向かって押しずらされる。分離ナイフが積み体の背後に進入旋回させられて、郵便物の引出しが開始される。このときにコンベヤベルトは分離ナイフと相まって郵便物積み体を引出し・個別化装置に供給し、この引出し・個別化装置は郵便物を一定の隙間を置いて個別化する。
欧州特許出願公開第０５９１７４９号明細書には、複数の積み体に分割するための複数の分離ナイフを備えた装置が記載されている。この場合、各積み体は特定のサイズ等級、たとえば特定の厚さの物品を含んでいる。個別化手段は各等級に合わせて調節可能である。この公知の構成では、自動的な装入は不可能である。
ドイツ連邦共和国特許出願公開第４１１７４３４号明細書には、やはり複数の分離ナイフを用いた構成が記載されている。しかし、この構成は、積み体、特に封筒の積み体を形成し、かつこの積み体を包装ステーションに搬送するための手段に関するものである。この場合、４つの分離ナイフが働いている。
本発明の課題は、郵便物仕分け設備の入口への郵便物の装入を自動化し、これにより手による作業を不要にすることである。
この課題は請求項１の特徴部に記載の構成により解決される。
請求項２以下には、本発明の有利な構成および改良形が記載されている。
装入モジュールは、郵便容器を受け取るための、旋回装置に固定された受取り機構を有していると有利である。この場合、郵便物で充填された郵便容器は旋回運動により、分離ナイフ装置の両分離ナイフの間の郵便物収容部上に放下される
郵便物の縁部の向きを整えるために、郵便物収容部が振動機を有していると有利である。
郵便容器の均一な充填度が常に保証されるわけではないので、分離ナイフ装置の２つの分離ナイフの間隔が可変であると有利である。郵便容器が旋回運動により放下された後に、郵便物積み体が両分離ナイフに所定の圧力を加えるまで両分離ナイフが閉じるようになっている。
郵便容器は、有利にはコンベヤベルトに沿って装入モジュールに供給され、かつ装入モジュールから再び導出される。郵便物の搬送を助成するために、郵便物搬送路は郵便物収容部と個別化装置との間にコンベヤベルトを有していると有利である。このコンベヤベルトは、進入旋回させられた単一の分離ナイフおよび分離ナイフ装置の進入旋回させられた両分離ナイフが郵便物積み体を個別化装置にまで案内する際に、これらの分離ナイフと同期的に運動するようになっている。
本発明のさらに別の有利な構成では、郵便物搬送路が定置であるが、ただし小さな摩擦係数を有する材料から形成されている。
以下に、本発明の実施例を図面につき詳しく説明する。
第１図は、本発明による装置を、郵便物収容部に郵便物積み体が位置している状態で示す斜視図であり、
第２図は、本発明による装置を、郵便物積み体が単一の分離ナイフによって引き取られる直前の状態で示す斜視図である。
郵送される郵便物で充填された郵便容器６は、供給区間として形成されたコンベヤベルト２（詳細には図示しない）を介して装入モジュールに到達する。平行グリッパとして形成された受取り機構９は、郵便容器６の位置をセンタリングする。
次いで、郵便容器６は旋回装置１２を用いて１８０°だけ旋回させられる。旋回過程の間に郵便物が郵便容器６から脱落しないようにするためには、郵便物積み体７の質量慣性が利用され、旋回動作は比較的大きな加速で実施される。旋回装置１２は郵便容器が空になった後に、再び１８０°だけ戻し旋回させられ、空の郵便容器６を供給区間に戻す。供給区間のコンベヤベルトは、再び満杯の郵便容器がグリップ位置に到達するまで引き続き所定の搬送ステップを進む。
郵便容器６内に存在する郵便物積み体７は分離ナイフ装置５の２つの分離ナイフの間の郵便物収容部１０の上に落下する（第１図）。迅速な旋回動作に基づき、郵便物積み体７に存在する郵便物は部分的に下縁部を下にして整えられる。２つの分離ナイフの内側で郵便物収容部１０に設けられた振動機による振盪／振動により、さらに縁部の向きが整えられる。分離ナイフ装置５に対応する移動・旋回装置８の直動ユニットは、２つの分離ナイフの間に位置する、向きを整えられた郵便物積み体を単一の分離ナイフ４のすぐ手前にまで移動させる。この分離ナイフ４は速度Ｖ１で個別化装置１に向かって運動する。単一の分離ナイフ４に設けられたセンサは信号を介して制御装置１１に、分離ナイフ装置５が単一の分離ナイフ４の真後ろに到達したことを報知する。
速度Ｖ１は制御装置１１によって規定される。個別化装置１の圧力センサを介して、設定された積み重ね圧力に相応して制御装置１１により所要の送り速度が制御される。
次いで、単一の分離ナイフ４は搬送された郵便物積み体から１００°だけ進出旋回して、分離ナイフ装置５の背後へ運動し、この分離ナイフ装置５は速度Ｖ１で引き続き運動する（第２図）。単一な分離ナイフ４に設けられたセンサは、分離ナイフ装置５の２つの分離ナイフの背後における正確な保持位置を信号報知する。単一の分離ナイフ４は進入旋回させられて、分離ナイフ装置５のすぐ近くにまで移動する。次いで、分離ナイフ装置５の２つの分離ナイフが進出旋回して、出発位置にまで戻り、それに対して、単一の分離ナイフ４は引き続き速度Ｖ１で運動する。
グリッパにより実現された受取り機構は種々の大きさの郵便容器６のために適している。
分離ナイフ装置５の２つの分離ナイフの間隔は、種々の大きさの郵便容器６のために可変であり、かつ付加的に圧力測定を介して制御され得るので、部分的にしか充填されていない郵便容器６の場合には両分離ナイフの間隔が、実際の郵便物積み体の幅に相当するように調節される。圧力測定は最も単純な事例では、調節可能なばね力と、規定のばね行程においてリリースされる接点とを介して行うことができる。
【図１】
0003935939.tif 000002
【図２】
0003935939.tif 000003